(57)【要約】【課題】携帯端末上で動作する音楽アプリケーションを情報機器で再生させるための音楽再生制御システム、携帯端末、音楽再生制御方法およびプログラムを提供する。【解決手段】携帯端末は、情報機器からのコントロール情報に基づいて、音楽アプリケーションを制御するとともに、情報機器の制御に必要なアプリケーションに関する情報を送信する音楽アプリケーション制御手段と、音楽アプリケーションからの音声をスピーカーに出力する第１の音声出力手段と、を備え、情報機器は、携帯端末の制御に必要なアプリケーションに関する情報を受信し、受信した情報に基づいて、携帯端末の制御に必要なアプリケーションを取得し、実行する機器連携手段と、予め格納されたプログラムに従って、各種機能をコントロールする情報機器制御手段と、機器連携手段あるいは情報機器制御手段からの音声をスピーカーに出力する第２の音声出力手段と、を備える。【選択図】図１
2015184946.tif 000002
【特許請求の範囲】
【請求項１】
携帯端末と情報機器とスピーカーとから構成され、前記携帯端末上で動作する音楽アプリケーションを前記情報機器が取得する情報に基づいて、前記情報機器がコントロールする音楽再生制御システムであって、
前記携帯端末は、
前記情報機器からのコントロール情報に基づいて、前記音楽アプリケーションを制御するとともに、前記情報機器の制御に必要なアプリケーションに関する情報を送信する音楽アプリケーション制御手段と、
前記音楽アプリケーションからの音声を前記スピーカーに出力する第１の音声出力手段と、
を備え、
前記情報機器は、
前記携帯端末の制御に必要なアプリケーションに関する情報を受信し、該受信した情報に基づいて、前記携帯端末の制御に必要なアプリケーションを取得し、実行する機器連携手段と、
予め格納されたプログラムに従って、各種機能をコントロールする情報機器制御手段と、
前記機器連携手段あるいは情報機器制御手段からの音声を前記スピーカーに出力する第２の音声出力手段と、
を備えたことを特徴とする音楽再生制御システム。
【請求項２】
前記情報機器制御手段は、音声案内をする機能を有し、該音声案内をする際あるいは、音声案内の終了の際に、音楽アプリケーション制御手段に対して、音量あるいは音質の制御を含む制御信号を送信することを特徴とする請求項１に記載の音楽再生制御システム。
【請求項３】
前記情報機器が、位置情報を取得する位置情報取得手段を備え、
前記情報機器制御手段は、前記取得した位置情報に基づいて音声案内をする機能を起動することを特徴とする請求項２に記載の音楽再生制御システム。
【請求項４】
前記情報機器が、ウェブブラウザを備え、
前記音楽アプリケーション制御手段が、前記携帯端末の制御に必要なアプリケーションに関する情報として、前記機器連携手段にウェブアプリケーションを送信し、前記機器連携手段が、前記ウェブブラウザを介して、前記ウェブアプリケーションから前記携帯端末の制御に必要なアプリケーションをダウンロードすることを特徴とする請求項１に記載の音楽再生制御システム。
【請求項５】
前記情報機器が、車載情報機器であることを特徴とする請求項１から４に記載の音楽再生制御システム。
【請求項６】
情報機器とスピーカーとともに構成され、前記携帯端末上で動作する音楽アプリケーションを前記情報機器が取得する情報に基づいて、前記携帯端末上で動作する音楽アプリケーションをコントロールする携帯端末あって、
前記情報機器からのコントロール情報に基づいて、前記音楽アプリケーションを制御するとともに、前記情報機器の制御に必要なアプリケーションに関する情報を送信する音楽アプリケーション制御手段と、
前記音楽アプリケーションからの音声を前記スピーカーに出力する音声出力手段と、
を備えたことを特徴とする携帯端末。
【請求項７】
音楽アプリケーション制御手段を備える携帯端末と、位置情報取得手段、情報機器制御手段を備える情報機器とスピーカーとから構成され、前記携帯端末上で動作する音楽アプリケーションを前記情報機器が取得する情報に基づいて、前記情報機器がコントロールする音楽再生制御システムにおける音楽再生制御方法であって、
前記位置情報取得手段が、位置情報を取得する第１のステップと、
前記情報機器制御手段が、前記取得した位置情報に基づいて音声案内をする機能を起動する第２のステップと、
前記情報機器制御手段が、該音声案内をする際に、音楽アプリケーション制御手段に対して、音量あるいは音質を制御する制御信号を送信する第３のステップと、
前記音楽アプリケーション制御手段が、音楽アプリケーションに対して、音量あるいは音質のコントロールを行なう第４のステップと、
を備えたことを特徴とする音楽再生制御方法。 
【請求項８】
音楽アプリケーション制御手段を備える携帯端末と、位置情報取得手段、情報機器制御手段を備える情報機器とスピーカーとから構成され、前記携帯端末上で動作する音楽アプリケーションを前記情報機器が取得する情報に基づいて、前記情報機器がコントロールする音楽再生制御システムにおける音楽再生制御方法をコンピュータに実行させるためのプログラムであって、
前記位置情報取得手段が、位置情報を取得する第１のステップと、
前記情報機器制御手段が、前記取得した位置情報に基づいて音声案内をする機能を起動する第２のステップと、
前記情報機器制御手段が、該音声案内をする際に、音楽アプリケーション制御手段に対して、音量あるいは音質を制御する制御信号を送信する第３のステップと、
前記音楽アプリケーション制御手段が、音楽アプリケーションに対して、音量あるいは音質のコントロールを行なう第４のステップと、
をコンピュータに実行させるためのプログラム。
【発明の詳細な説明】
【技術分野】
【０００１】
本発明は、携帯端末上で動作する音楽アプリケーションを情報機器で再生させるための音楽再生制御システム、携帯端末、音楽再生制御方法およびプログラムに関する。
【背景技術】
【０００２】
従来より、車載情報機器と、スマートフォンのような携帯情報端末とを通信接続して連携可能にする技術（例えば、ミラーリンク（登録商標））がある。例えば、特許文献１には、携帯電話の画面に表示された情報を車載情報機器に表示させることができる。また、携帯電話からタッチスイッチを車載情報機器の画面上に表示させ、車載情報機器側から携帯電話を操作することが可能な技術が開示されている。
【０００３】
その他にも、特許文献２には、車載情報機器のタッチパネルの座標をタッチパネル式携帯電話の座標に変換して、携帯端末に送信する技術が開示されている。また、携帯音楽プレイヤーやスマートフォンで再生している音楽や動画をネットワーク経由で他の機器でストリーミング再生する機能も近年スマートフォンに実装されている。
【先行技術文献】
【特許文献】
【０００４】
【特許文献１】特開２００３−２４４３４３号公報
【特許文献２】特開２０１０−１３０５５３号公報
【発明の概要】
【発明が解決しようとする課題】
【０００５】
しかしながら、上記構成の装置では、携帯端末内の音楽を再生中で、車載情報機器が音声案内を行う際に、音楽の音量を変更することができず、音声案内を聞き逃がすという問題がある。
【０００６】
また、携帯端末内の音楽を再生中で、音声を小さくしたい場所（例えば踏切の近く）では、上記構成の装置では手動で音量を下げなければならないという問題もある。
【０００７】
また、携帯端末の表示画面データをそのまま車載情報機器へ送信し、表示させているため、携帯電話が保持しているアプリケーションを車載情報機器に合わせたユーザインターフェースで表示させることが難しいという問題点もある。
【０００８】
さらに、従来技術では、車載情報機器側がアプリに対応していなければ動作しないという問題点もある。そのため、アプリに合わせて車載情報機器を開発する必要があり、労力やコストがかかってしまう。
【０００９】
そこで、本発明は、上述の課題に鑑みてなされたものであり、携帯端末上で動作する音楽アプリケーションを情報機器で再生させるための音楽再生制御システム、携帯端末、音楽再生制御方法およびプログラムを提供することを目的とする。
【課題を解決するための手段】
【００１０】
上記の課題を解決するために、本発明は、以下の事項を提案している。
【００１１】
（１）本発明は、携帯端末と情報機器とスピーカーとから構成され、前記携帯端末上で動作する音楽アプリケーションを前記情報機器が取得する情報に基づいて、前記情報機器がコントロールする音楽再生制御システムであって、前記携帯端末は、前記情報機器からのコントロール情報に基づいて、前記音楽アプリケーションを制御するとともに、前記情報機器の制御に必要なアプリケーションに関する情報を送信する音楽アプリケーション制御手段と、前記音楽アプリケーションからの音声を前記スピーカーに出力する第１の音声出力手段と、を備え、前記情報機器は、前記携帯端末の制御に必要なアプリケーションに関する情報を受信し、該受信した情報に基づいて、前記携帯端末の制御に必要なアプリケーションを取得し、実行する機器連携手段と、予め格納されたプログラムに従って、各種機能をコントロールする情報機器制御手段と、前記機器連携手段あるいは情報機器制御手段からの音声を前記スピーカーに出力する第２の音声出力手段と、を備えたことを特徴とする音楽再生制御システムを提案している。
【００１２】
（２）本発明は、（１）の音楽再生制御システムについて、前記情報機器制御手段は、音声案内をする機能を有し、該音声案内をする際あるいは、音声案内の終了の際に、音楽アプリケーション制御手段に対して、音量あるいは音質の制御を含む制御信号を送信することを特徴とする音楽再生制御システムを提案している。
【００１３】
（３）本発明は、（２）の音楽再生制御システムについて、前記情報機器が、位置情報を取得する位置情報取得手段を備え、前記情報機器制御手段は、前記取得した位置情報に基づいて音声案内をする機能を起動することを特徴とする音楽再生制御システムを提案している。
【００１４】
（４）本発明は、（１）の音楽再生制御システムについて、前記情報機器が、ウェブブラウザを備え、前記音楽アプリケーション制御手段が、前記携帯端末の制御に必要なアプリケーションに関する情報として、前記機器連携手段にウェブアプリケーションを送信し、前記機器連携手段が、前記ウェブブラウザを介して、前記ウェブアプリケーションから前記携帯端末の制御に必要なアプリケーションをダウンロードすることを特徴とする音楽再生制御システムを提案している。
【００１５】
（５）本発明は、（１）から（４）の音楽再生制御システムについて、前記情報機器が、車載情報機器であることを特徴とする音楽再生制御システムを提案している。
【００１６】
（６）本発明は、情報機器とスピーカーとともに構成され、前記携帯端末上で動作する音楽アプリケーションを前記情報機器が取得する情報に基づいて、前記携帯端末上で動作する音楽アプリケーションをコントロールする携帯端末あって、前記情報機器からのコントロール情報に基づいて、前記音楽アプリケーションを制御するとともに、前記情報機器の制御に必要なアプリケーションに関する情報を送信する音楽アプリケーション制御手段と、前記音楽アプリケーションからの音声を前記スピーカーに出力する音声出力手段と、
を備えたことを特徴とする携帯端末を提案している。
【００１７】
（７）本発明は、音楽アプリケーション制御手段を備える携帯端末と、位置情報取得手段、情報機器制御手段を備える情報機器とスピーカーとから構成され、前記携帯端末上で動作する音楽アプリケーションを前記情報機器が取得する情報に基づいて、前記情報機器がコントロールする音楽再生制御システムにおける音楽再生制御方法であって、前記位置情報取得手段が、位置情報を取得する第１のステップと、前記情報機器制御手段が、前記取得した位置情報に基づいて音声案内をする機能を起動する第２のステップと、前記情報機器制御手段が、該音声案内をする際に、音楽アプリケーション制御手段に対して、音量あるいは音質を制御する制御信号を送信する第３のステップと、前記音楽アプリケーション制御手段が、音楽アプリケーションに対して、音量あるいは音質のコントロールを行なう第４のステップと、を備えたことを特徴とする音楽再生制御方法を提案している。
【００１８】
（８）本発明は、音楽アプリケーション制御手段を備える携帯端末と、位置情報取得手段、情報機器制御手段を備える情報機器とスピーカーとから構成され、前記携帯端末上で動作する音楽アプリケーションを前記情報機器が取得する情報に基づいて、前記情報機器がコントロールする音楽再生制御システムにおける音楽再生制御方法をコンピュータに実行させるためのプログラムであって、前記位置情報取得手段が、位置情報を取得する第１のステップと、前記情報機器制御手段が、前記取得した位置情報に基づいて音声案内をする機能を起動する第２のステップと、前記情報機器制御手段が、該音声案内をする際に、音楽アプリケーション制御手段に対して、音量あるいは音質を制御する制御信号を送信する第３のステップと、前記音楽アプリケーション制御手段が、音楽アプリケーションに対して、音量あるいは音質のコントロールを行なう第４のステップと、をコンピュータに実行させるためのプログラムを提案している。
【発明の効果】
【００１９】
本発明によれば、携帯端末内の音楽アプリケーションを情報機器で実行させていても、情報機器が音声案内を発するときに、自動的に音量を変更または止めることにより、音楽が邪魔をして、音声案内を音楽が妨げることがなくなるという効果がある。
【００２０】
また、情報機器側でアプリケーション（ナビゲーションなど）が起動している際でも、携帯端末内で実行しているアプリケーションを情報機器側で操作することや、動作させているアプリケーションを別のアプリケーションに変更することも可能となる。
【００２１】
また、情報機器のアプリケーションの情報に基づき、音声を絞ったり、特定のアプリケーションを起動させることなど、状況に応じて携帯端末内のアプリケーションを起動させることも可能である。
【００２２】
また、携帯端末の画面をそのまま表示させるのではないため、情報機器に合わせたユーザインターフェースを実現させることが可能である。ユーザインターフェースを変更できることにより、車の運転中に機能させたくない機能を表示させないようにし、動作を制限させることも期待できる。例えば、ドライブモードへの設定変更により、着信応答メッセージを自動的に変更することや、情報機器のアプリケーション側でのセンシングによる夜間やトンネル内での携帯端末の液晶表示輝度の制御が挙げられる。
【００２３】
また、情報機器側で動作するアプリケーションはウェブアプリケーションであり、携帯端末側で保持しているアプリケーションを動作させるため、アプリケーションの改修やアプリケーションの新規開発においても、携帯端末側のアプリケーションを改修及び開発をすることにより、情報機器で動作するアプリケーションを開発することが可能となる。
【００２４】
従来では、情報機器のデータを更新するには手間や労力がかかっていたが、本発明を利用することにより、携帯端末のアプリケーションを開発する要領で車載機において動作するアプリケーションを開発することができるので従来と比べて容易に情報機器のアプリケーションを開発できる。
【００２５】
情報機器と携帯端末とを連動させる場合に買い替えサイクルの違いが問題になることがあるが、上記構成を取っているため、例えば、情報機器側は、古くなっても携帯端末内のアプリケーションを更新さえすれば最新のアプリケーションを動作させることができるのも合わせてメリットと言える。
【００２６】
情報機器以外においてもウェブアプリケーションが動作するブラウザを保持していれば、携帯端末と該当する情報機器とを連携させることができるため、テレビなどのブラウザを保持している情報家電において応用させることが期待できる。例えば、テレビ側のアプリケーションが検出した気象警報や交通に関する緊急通知を携帯端末側の表示制御によって通知したり、ホームオートメーション機器の上で動作しているアプリから侵入検知時に携帯端末側の表示制御によって通知したりすることが挙げられる。
【図面の簡単な説明】
【００２７】
【図１】本発明の実施形態に係る音楽再生制御システムの構成を示す図である。
【図２】本発明の実施形態に係る音楽再生制御システムの起動時の動作フローである。
【図３】本発明の実施形態に係る音楽再生制御システムの音声ガイド発音時の動作フローである。
【図４】本発明の実施形態に係る音楽再生制御システムの処理を示す図である。
【発明を実施するための形態】
【００２８】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２９】
＜音楽再生制御システムの構成＞
本実施形態に係る音楽再生制御システムは、図１に示すように、携帯端末１００と、車載情報機器２００と、スピーカー３００とから構成されている。ここで、スピーカー３００は、Ｂｌｕｅｔｏｏｔｈ（登録商標）対応スピーカー等の無線形式のものでも、有線方式のものであってもよい。
【００３０】
＜携帯端末の構成＞
図１に示すように、携帯端末１００は、音楽アプリケーション制御部１１０と、音楽アプリケーション１２０と、第１の音声出力部１３０とから構成されている。
【００３１】
音楽アプリケーション制御部１１０は、情報機器２００からのコントロール情報に基づいて、音楽アプリケーション１２０を制御するとともに、情報機器の制御に必要なアプリケーションに関する情報を送信する。具体的には、音楽アプリケーション制御部１１０は、アプリケーションからなる（以下、サーバアプリケーションと呼ぶ）。サーバアプリケーションは、起動すると、ＵＲＬを生成する。後述する機器連携部２１０内のウェブブラウザが生成されたＵＲＬにアクセスすると、サーバアプリケーションからウェブアプリケーションがダウンロードされる。このウェブアプリケーションが機器連携部２１０により操作されると、サーバアプリケーションを介して、携帯端末内の音楽アプリケーションが実行される。なお、音楽アプリケーション制御部１１０には、Ｂｌｕｅｔｏｏｔｈ（登録商標）機能及び無線通信機能が搭載されている。
【００３２】
音楽アプリケーション１２０は、音楽アプリケーション制御部１１０（サーバアプリケーション）を介して、情報機器２００によって、コントロールされる。第１の音声出力部１３０は、スピーカー３００に接続され、音楽アプリケーション１２０からの音声をスピーカー３００に出力する。
【００３３】
＜情報機器の構成＞
図１に示すように、情報機器２００は、機器連携部２１０と、情報機器制御部２２０と、第２の音声出力部２３０と、位置情報取得部２４０とから構成されている。
【００３４】
機器連携部２１０は、ウェブブラウザ及び無線通信機能を搭載し、携帯端末１００の制御に必要なアプリケーションに関する情報を受信し、該受信した情報に基づいて、制御に必要なアプリケーションを取得し、実行する。具体的には、機器連携部２１０内のウェブブラウザがサーバアプリケーションにおいて生成されたＵＲＬにアクセスすると、サーバアプリケーションからウェブアプリケーションがダウンロードされる。このウェブアプリケーションが機器連携部２１０により操作されると、サーバアプリケーションを介して、携帯端末内の音楽アプリケーションが実行される。
【００３５】
情報機器制御部２２０は、予め格納されたプログラムに従って、情報機器２００の各種機能をコントロールする。第２の音声出力部２３０は、機器連携部２１０あるいは情報機器制御部２２０からの音声をスピーカー３００に出力する。位置情報取得部２４０は、例えば、ＧＰＳ等で構成され、現在の位置情報を取得する。
【００３６】
なお、携帯端末内にある音楽アプリケーションと車載情報機器の機器連携部において操作しているウェブアプリとは必ずしも同一表示とは限らない。
【００３７】
また、音声出力については、携帯端末１００内にあるＢｌｕｅｔｏｏｔｈ（登録商標）機能とＢｌｕｅｔｏｏｔｈ（登録商標）スピーカーをＢｌｕｅｔｏｏｔｈ（登録商標）で接続させることにより音声出力を実現する。
【００３８】
すなわち、本システムでは、例えば、携帯端末１００内の音楽アプリケーション１２０を情報機器２００側で操作し、携帯端末１００内において再生している際に、情報機器２００が音声案内を行う場合には、情報機器２００は、ウェブアプリケーション、音楽アプリケーション制御部１１０（サーバアプリケーション）を介して、音楽アプリケーションに、音量を下げるように命じる制御信号を送信して、音量を下げる、または、音楽再生を停止する命じる制御信号を送る。
【００３９】
また、位置情報取得部２４０により、音楽の音量を下げたほうが好ましい場所（例えば、踏切付近）に近づいた際には、情報機器２００側の機器連携部２１０が音量を下げるべき場所を判断し、ウェブブラウザ上で動作しているウェブアプリケーションと、携帯端末１００の音楽アプリケーション制御部１１０を介して再生されている音楽の音量を下げる、または止めるという動作を行う。音量を下げたほうが好ましい場所から離れた場合には、同じように情報機器２００側の機器連携部２１０が判断し、ウェブアプリケーション、音楽アプリケーション制御部１１０を介して、元の音量に戻すという動作を行う。なお、音量の制御の他に、例えば、低音をカットしたり、高音を強調したりというイコライジングを行なう音質の制御を行なってもよい。
【００４０】
＜音楽再生制御システムの処理＞
以下、図２から図４を用いて、本実施形態に係る音楽再生制御システムの処理について説明する。
【００４１】
＜音楽再生制御システム起動時の処理＞
図２を用いて、音楽再生制御システム起動時の処理について説明する。なお、以下の説明においては、情報機器が車載情報機器である場合を例示して説明する。
【００４２】
まず、車載情報機器の機器連携部２１０内のウェブブラウザが携帯端末の音楽アプリケーション制御部１１０内のサーバアプリケーションに対して、ウェブアプリケーションの起動信号（リクエスト）を送信する。ウェブアプリケーションの起動信号（リクエスト）を受信したサーバアプリケーションは、サーバアプリケーションが保持しているリクエストに基づくウェブアプリケーション（ＨＴＭＬ５）を車載情報機器の機器連携部２１０に送信する。
【００４３】
次いで、機器連携部２１０が、音楽アプリケーション制御部１１０にアプリケーションを要求すると、音楽アプリケーション制御部１１０内のサーバアプリケーションと音楽アプリケーション１２０との間で、機能間連携を行ない、サーバアプリケーションが機器連携部２１０に対して、レスポンス（ステータス）を返す。これにより、音楽アプリケーションの起動とＢｌｕｅｔｏｏｔｈ（登録商標）のコネクションが確立する。
【００４４】
そして、機器連携部２１０が、音楽アプリケーション制御部１１０にアプリケーションデータを要求すると、音楽アプリケーション制御部１１０が、機器連携部２１０との間で、ＣｏｎｔｅｎｔＰｒｏｖｉｄｅｒ（コンテントプロバイダ）と呼ばれるデータを保存／取得できる機能があり、それを使ってデータのやり取りをする。
【００４５】
＜音楽再生制御システムの音声ガイド発音時の処理＞
図３、図４を用いて、本実施形態に係る音楽再生制御システムの音声ガイド発音時の処理について説明する。
【００４６】
まず、機器連携部２１０内のウェブアプリケーションが、音楽アプリケーション制御部１１０内のサーバアプリケーションに対して、オーディオフォーカス要求を出力すると、音楽アプリケーション制御部１１０内のサーバアプリケーションと携帯端末の制御部との間で、オーディオフォーカス要求のコマンドのやりとりが行なわれる。そして、携帯端末の制御部と音楽アプリケーションとの間で機能連携が行なわれ、音楽アプリケーション制御部１１０内のサーバアプリケーションから機器連携部２１０内のウェブアプリケーションにレスポンスが返されて、音声案内機能の発音が行なわれる。
【００４７】
音声案内機能の発音が終了すると、機器連携部２１０内のウェブアプリケーションが、音楽アプリケーション制御部１１０内のサーバアプリケーションに対して、オーディオフォーカス解除を出力する。オーディオフォーカス解除を出力されると、音楽アプリケーション制御部１１０内のサーバアプリケーションと携帯端末の制御部との間で、オーディオフォーカス解除のコマンドのやりとりが行なわれる。そして、携帯端末の制御部と音楽アプリケーションとの間で機能連携が行なわれ、音楽アプリケーション制御部１１０内のサーバアプリケーションから機器連携部２１０内のウェブアプリケーションにレスポンスが返されて、オーディオフォーカスが解除される。
【００４８】
次に、位置情報に基づく、音声案内発音時の処理について、図４を用いて、説明する。
まず、車載情報機器の位置情報取得部２４０が、位置情報を取得する（ステップＳ１１０）。次に、情報機器制御部２２０が、取得した位置情報に基づいて音声案内をする機能を起動する（ステップＳ１２０）。
【００４９】
情報機器制御部２２０は、音声案内をする際に、音楽アプリケーション制御部１１０に対して、音量を下げるように指示する制御信号を送信する（ステップＳ１３０）。音楽アプリケーション制御部１１０は、音楽アプリケーション１２０に対して、音量を下げるようにコントロールする（ステップＳ１４０）。
【００５０】
以上、説明したように、本実施形態によれば、携帯端末内の音楽アプリケーションを情報機器で実行させていても、情報機器が音声案内を発するときに、自動的に音量を変更または止めることにより、音楽が邪魔をして、音声案内を音楽が妨げることがなくなる。
【００５１】
なお、携帯端末および情報機器の処理をコンピュータ読み取り可能な記録媒体に記録し、この記録媒体に記録されたプログラムを携帯端末および情報機器に読み込ませ、実行することによって本発明の音楽再生制御システム、携帯端末を実現することができる。ここでいうコンピュータシステムとは、ＯＳや周辺装置等のハードウェアを含む。
【００５２】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００５３】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００５４】
以上、この発明の実施形態につき、図面を参照して詳述してきたが、具体的な構成はこの実施形態に限られるものではなく、この発明の要旨を逸脱しない範囲の設計等も含まれる。例えば、実施形態においては、情報機器の例示として車載情報機器を例にとって説明したが、これに限らず、テレビ等の家電製品などにも応用することができる。
【符号の説明】
【００５５】
１００；携帯端末
１１０；音楽アプリケーション制御部
１２０；音楽アプリケーション
１３０；第１の音声出力部
２００；情報機器
２１０；機器連携部
２２０；情報機器制御部
２３０；第２の音声出力部
２４０；位置情報取得部
３００；スピーカー
【図１】
2015184946.tif 000003
【図２】
2015184946.tif 000004
【図３】
2015184946.tif 000005
【図４】
2015184946.tif 000006